(57)【要約】【課題】  後面衝突時に後席乗員の大腿部を上方に持ち上げて膝部を上方に折り曲げることにより、前方の車体側構造部との干渉を防止若しくは干渉度合いを軽減することができる車両の乗員拘束装置を提供する。【解決手段】  後面衝突を検出または予測した際に、後席乗員Ｍの大腿部Ｍｔを上方に持ち上げる大腿部エアバッグ２を設けるとともに、後席乗員Ｍを後面衝突による衝撃力から退避する方向に移動する背面エアバッグ３を設け、大腿部エアバッグ２を背面エアバッグ３に先行して展開することにより、後面衝突を検出または予測した際に、後席乗員Ｍの大腿部Ｍｔを上方に持ち上げて膝部Ｍｎを上方に折り曲げることができるため、その膝部Ｍｎと前方の前席１２との間のスペースＳを大きくして前席１２との干渉を防止若しくは干渉度合いを少なくできる。【選択図】      図１
2007015540.tif 000002
【特許請求の範囲】
【請求項１】
後面衝突を検出または予測した際に、乗員の大腿部を上方に持ち上げる持ち上げ手段を設けたことを特徴とする車両の乗員拘束装置。
【請求項２】
後面衝突を検出または予測した際に、乗員を後面衝突による衝撃力から退避する方向に移動する退避手段を設けたことを特徴とする請求項１に記載の車両の乗員拘束装置。
【請求項３】
持ち上げ手段を退避手段に先行して作動することを特徴とする請求項２に記載の車両の乗員拘束装置。
【請求項４】
持ち上げ手段は、後席のシートクッション前部に配置されて上方に膨張展開する大腿部エアバッグであることを特徴とする請求項１〜３のいずれか１つに記載の車両の乗員拘束装置。
【請求項５】
退避手段は、後席のシートバックに配置されて前方に膨張展開する背面エアバッグであることを特徴とする請求項２〜４のいずれか１つに記載の車両の乗員拘束装置。
【請求項６】
背面エアバッグは、乗員の頭部に対応する上方部分の前方膨出量を、乗員の背中に対応する中間部分の前方膨出量よりも大きくしたことを特徴とする請求項５に記載の車両の乗員拘束装置。
【請求項７】
後面衝突を検出または予測した際に、乗員の大腿部を上方に持ち上げた後に、乗員を後面衝突による衝撃力から退避する方向に移動させることを特徴とする車両の乗員拘束方法。
【発明の詳細な説明】
【技術分野】
【０００１】
本発明は、車両後席に着座した乗員を、後面衝突時に拘束するようにした車両の乗員拘束装置および乗員拘束方法に関する。
【背景技術】
【０００２】
後面衝突時に後席乗員を拘束する乗員拘束装置としては、後面衝突時に後席全体をリヤフロアサイドメンバに沿って追突車から退避する方向、つまり車両前方に移動させることにより、追突車による衝撃が車両後端のリアドアなどの車体部材を介して後席乗員に作用するのを低減させるようにしたものが知られている（例えば、特許文献１参照）。
【特許文献１】特開平１１−２０８３３７号公報（第５頁、第２図）
【発明の開示】
【発明が解決しようとする課題】
【０００３】
しかしながら、かかる従来の乗員拘束装置では、後面衝突時に後席が全体的に前方移動した際に、後席乗員の膝部が前方に位置する前席などの車体側構造物に干渉してしまう恐れがある。
【０００４】
そこで、本発明は後面衝突時に後席乗員の大腿部を上方に持ち上げて膝部を上方に折り曲げることにより、膝部が前方の車体側構造部と干渉するのを抑制するようにした車両の乗員拘束装置および乗員拘束方法を提供するものである。
【課題を解決するための手段】
【０００５】
本発明の車両の乗員拘束装置は、後面衝突を検出または予測した際に、乗員の大腿部を上方に持ち上げる持ち上げ手段を設けたことを最も主要な特徴とする。
【発明の効果】
【０００６】
本発明によれば、後面衝突を検出または予測した際に、持ち上げ手段によって乗員の大腿部を上方に持ち上げるので、その大腿部の持ち上げに伴って膝部が上方に折り曲げられて、その膝部と前方の車体側構造物との間のスペースを大きくできるので、後面衝突による車体変形によって乗員の着座位置が前方へ移動したとしても、乗員の膝部が車体側構造部に干渉するのを抑制できる。
【発明を実施するための最良の形態】
【０００７】
以下、本発明の実施形態を図面と共に詳述する。
【０００８】
図１〜図３は本発明にかかる車両の乗員拘束装置の一実施形態を示し、図１は乗員拘束装置の全体構造を示す側面図、図２は乗員拘束装置の制御を実行するフローチャートを示す説明図、図３は乗員拘束装置の作動を（ａ）〜（ｃ）に順を追って示す説明図である。
【０００９】
本実施形態の乗員拘束装置１は、図１に示すようにバックドア１０ａを備えた車両１０の該バックドア１０ａに最も近い後席１１に適用され、後面衝突によってバックドア１０ａが図中破線に示すように車室内に侵入し、また、車体後部が変形した際に、前記後席１１に着座した後席乗員Ｍを拘束するものである。
【００１０】
前記乗員拘束装置１は、後面衝突を検出または予測した際に、後席乗員Ｍの大腿部Ｍｔを上方に持ち上げる持ち上げ手段としての大腿部エアバッグ２を備えている。
【００１１】
また、この乗員拘束装置１は、後面衝突を検出または予測した際に、後席乗員Ｍを後面衝突による衝撃力から退避する方向、つまり本実施形態では車両前方に移動する退避手段としての背面エアバッグ３を備えている。
【００１２】
車両１０の後方端には衝突センサ４が設置され、この衝突センサ４によって後面衝突を検出または予測するようになっている。
【００１３】
前記大腿部エアバッグ２は、後席１１のシートクッション１１ａの前部に配置されて上方に膨張展開するようになっている。
【００１４】
即ち、前記大腿部エアバッグ２は、シートクッション１１ａの前部の上面内に折り畳まれて収納されており、ガスを供給するインフレータ２Ａが作動することにより図示するように上方に膨張展開して、後席乗員Ｍの大腿部Ｍｔを上方に持ち上げる。
【００１５】
また、前記背面エアバッグ３は、後席１１のシートバック１１ｂの前面に配置されて前方に膨張展開するようになっている。
【００１６】
即ち、前記背面エアバッグ３は、シートバック１１ｂの前面中央部内に折り畳まれて収納されており、インフレータ３Ａが作動することにより図示するようにシートバック１１ｂと後席乗員Ｍの背面との間に膨張展開して、後席乗員Ｍの上半身を前方に押し出す。
【００１７】
そして、本実施形態の乗員拘束方法では、後面衝突を検出または予測した際に、後席乗員Ｍの大腿部Ｍｔを上方に持ち上げた後に、後席乗員Ｍを後面衝突による衝撃力から退避する方向に移動させるようにしている。
【００１８】
従って、前記大腿部エアバッグ２および前記背面エアバッグ３を膨張展開するにあたって、大腿部エアバッグ２を背面エアバッグ３に先行して作動（展開）するようになっている。
【００１９】
前記大腿部エアバッグ２および前記背面エアバッグ３は、コントローラ５からの指令信号によってそれぞれが展開制御され、コントローラ５は衝突センサ４からの信号を入力して後面衝突を検出または予測した際に、先ず大腿部エアバッグ２に展開信号を出力した後、これに遅延させて背面エアバッグ３に展開信号を出力する。
【００２０】
即ち、前記コントローラ５では図２に示すフローチャートに従って各エアバッグ２，３の展開制御を実行するようになっており、まず、ステップＳ１で衝突センサ４からの信号を入力し、その信号からステップＳ２で後面衝突を検出または予測したかどうかを判断する。
【００２１】
この段階では図３（ａ）に示すように、前記大腿部エアバッグ２および前記背面エアバッグ３はシートクッション１１ａおよびシートバック１１ｂに収納された状態にあり、後席乗員Ｍは通常の着座姿勢で後席１１に着座した状態にある。
【００２２】
そして、ステップＳ２で後面衝突を判断した場合（ＹＥＳ）はステップＳ３によって大腿部エアバッグ２を展開する。これによって図３（ｂ）に示すように後席乗員Ｍの大腿部Ｍｔは上方に持ち上げられ、これに伴って後席乗員Ｍの膝部Ｍｎが上方に大きく折り曲げられる。
【００２３】
次に、ステップＳ４でタイマーを作動して所定時間、つまり大腿部エアバッグ２の展開によって大腿部Ｍｔが十分に持ち上がるに必要な時間が経過したかどうかを判断し、所定時間が経過した後にステップＳ５で背面エアバッグ３を展開する。これによって図３（ｃ）に示すように後席乗員Ｍは上半身が所定量Ｌだけ前方に移動する。
【００２４】
このとき、図１に示すように前記背面エアバッグ３は、後席乗員Ｍの頭部Ｍｈに対応する上方部分３ａの前方膨出量Ｌ１を、後席乗員Ｍの背中Ｍｂに対応する中間部分３ｂの前方膨出量Ｌ２よりも大きくしてある。
【００２５】
以上の構成により本実施形態の車両の乗員拘束装置１０によれば、衝突センサ４によって後面衝突を検出または予測した際に、大腿部エアバッグ２によって後席乗員Ｍの大腿部Ｍｔを上方に持ち上げるので、その大腿部Ｍｔの持ち上げに伴って膝部Ｍｎを上方に折り曲げることができ、図１に示すようにその膝部Ｍｎと前方の車体側構造物となる前席１２との間のスペースＳを大きくできる。
【００２６】
従って、後面衝突によりバックドア１０ａが図中破線に示すように車室内に侵入し、また、車体後部が変形した際に、後席１１が前方に押しやられた場合にも後席乗員Ｍの膝部Ｍｎが前席１２に干渉するのを抑制できる。
【００２７】
また、後面衝突を検出または予測した際に、シートバック１１ｂと後席乗員Ｍの上半身との間に背面エアバッグ３を膨張展開させるので、後席乗員Ｍを後面衝突の入力側となる後部から離すことができ、後席乗員Ｍを後面衝突による衝撃力から退避させ、ひいては後席乗員Ｍが損傷を被るのを防止若しくは軽減することができる。
【００２８】
更に、前記大腿部エアバッグ２を前記背面エアバッグ３に先行して作動させるようにしたので、先行して膨張展開する大腿部エアバッグ２によって後席乗員Ｍの膝部Ｍｎを上方に持ち上げた後に背面エアバッグ３が膨張展開されることになり、膝部Ｍｎと前席１２との間のスペースＳを有効に利用して後席乗員Ｍの退避時の移動量を大きく稼ぐことができる。
【００２９】
また、持ち上げ手段を、後席１１のシートクッション１１ａの前部に配置されて上方に膨張展開する前記大腿部エアバッグ２で構成したので、後席乗員Ｍの大腿部Ｍｔに大きな衝撃を与えることなくその大腿部Ｍｔを確実に持上げることができる。
【００３０】
更に、退避手段を、後席１１のシートバック１１ｂに配置されて前方に膨張展開する背面エアバッグ３で構成したので、シートバック１１ｂと後席乗員Ｍとの間に該背面エアバッグ３を介在することができ、この背面エアバッグ３の緩衝機能によってシートバック１１ｂから受ける衝撃力を緩和することができる。
【００３１】
更にまた、前記背面エアバッグ３は、後席乗員Ｍの頭部Ｍｈに対応する上方部分３ａの前方膨出量Ｌ１を、後席乗員Ｍの背中Ｍｂに対応する中間部分３ｂの前方膨出量Ｌ２よりも大きくしてあるので、後面衝突時に上方部分３ａによって後席乗員Ｍの頭部Ｍｈを前方に押し出すことができ、後面衝突時に働く慣性力によって頭部Ｍｈが後方に移動するのをいち早く拘束できる。
【００３２】
また、本実施形態の乗員拘束方法によれば、後面衝突を検出または予測した際に、後席乗員Ｍの大腿部Ｍｔを上方に持ち上げた後に、後席乗員Ｍを後面衝突による衝撃力から退避する方向に移動させるようにしたので、後席乗員Ｍの膝部Ｍｎを上方に持ち上げて前席１２とのスペースＳを大きくした状態で後席乗員Ｍを退避させることができ、退避時の移動量をより大きく稼いで後面衝突により後席乗員Ｍが傷を被るのを防止若しくは軽減することができる。
【００３３】
ところで、本発明は前記実施形態に例をとって説明したが、この実施形態に限ることなく本発明の要旨を逸脱しない範囲で他の実施形態を各種採用することができ、例えば、退避手段として背面エアバッグ３を用いた場合を開示したが、これに限ることなくシートスライダを設けて後席１１全体を前方に移動させてもよく、また、リクライニング機構を設けてシートバック１１ｂを前方に傾動させることにより後席乗員Ｍを前方に移動させてもよい。
【００３４】
また、本発明はバックドア１０ａを備えた車両１０の後席１１に適用したが、バックドア１０ａの無い車両の後席にあっても適用することができる。
【００３５】
更に後席のない２シータ車両等においては、前席に適用してもよい。
【図面の簡単な説明】
【００３６】
【図１】本発明の一実施形態における乗員拘束装置の全体構造を示す側面図。
【図２】本発明の一実施形態における乗員拘束装置の制御を実行するフローチャートを示す説明図。
【図３】本発明の一実施形態における乗員拘束装置の作動を（ａ）〜（ｃ）に順を追って示す説明図。
【符号の説明】
【００３７】
１  乗員拘束装置
２  大腿部エアバッグ（持ち上げ手段）
３  背面エアバッグ（退避手段）
１０  車両
１１  後席
１１ａ  シートクッション
１１ｂ  シートバック
Ｍ  乗員
Ｍｔ  大腿部
Ｍｎ  膝部
【図１】
2007015540.tif 000003
【図２】
2007015540.tif 000004
【図３】
2007015540.tif 000005